(57)【要約】【課題】折畳み式携帯電話機において、開いた状態でも折畳んだ状態であっても衝撃を吸収できるようにする。【解決手段】操作部１１を有するプラスチック筐体１と表示部２１を有するプラスチック筐体２とが一端部側でヒンジ部３を介して開閉可能に結合された折畳み式携帯電話機において、表示部２１を有する筐体２のヒンジ部３と反対側の端部に突出して設けられるエラストマからなる耐衝撃用ハンドル５と、操作部１１を有する筐体１のヒンジ部３と反対側の端部に突出して設けられるエラストマからなるコネクタカバー６と、両筐体１・２の折畳み状態におけるヒンジ部３の両筐体１・２端部からの突出部分に設けられるエラストマからなるヒンジカバー７を備える。耐衝撃用ハンドル５は、筐体２の両側部にも突出する端部５２を有して、折畳み状態の両筐体１・２の端部から突出している。【選択図】図１
2006186574.tif 000002
【特許請求の範囲】
【請求項１】
操作部を有する筐体と表示部を有する筐体とが一端部側でヒンジ部を介して開閉可能に結合された折畳み式携帯電話機において、
表示部を有する筐体のヒンジ部と反対側の端部に突出して設けられる弾性材質からなる耐衝撃用ハンドルと、
操作部を有する筐体のヒンジ部と反対側の端部に突出して設けられる弾性材質からなるコネクタカバーと、
両筐体の折畳み状態におけるヒンジ部の両筐体端部からの突出部分に設けられる弾性材質からなるヒンジカバーとを備えることを特徴とする折畳み式携帯電話機。
【請求項２】
前記耐衝撃用ハンドルは、筐体の両側部にも突出していることを特徴とする請求項１に記載の折畳み式携帯電話機。
【請求項３】
前記耐衝撃用ハンドルは、折畳み状態の両筐体の端部から突出していることを特徴とする請求項１または２に記載の折畳み式携帯電話機。
【請求項４】
両筐体の開き角度が１８０度未満に規制されており、
前記耐衝撃用ハンドル及び前記コネクタカバーは、開き状態の筐体の延長上に向けて各々突出していることを特徴とする請求項１から３のいずれか一項に記載の折畳み式携帯電話機。
【請求項５】
前記耐衝撃用ハンドルは、筐体に対し着脱可能に取り付けられていることを特徴とする請求項１から４のいずれか一項に記載の折畳み式携帯電話機。
【請求項６】
前記コネクタカバーは、筐体の操作部を有する面からも突出していることを特徴とする請求項１から５のいずれか一項に記載の折畳み式携帯電話機。
【請求項７】
表示部を有する筐体の表示部を有する面と反対側の面にサブ表示部が設けられ、
このサブ表示部の周囲に突出して設けられる弾性材質からなる周囲枠を備えることを特徴とする請求項１から６のいずれか一項に記載の折畳み式携帯電話機。
【請求項８】
少なくとも一方の筐体のヒンジ部側の端部に、ヒンジ部に対し反対側の面に突出して設けられる弾性材質からなるカバーを備えることを特徴とする請求項１から７のいずれか一項に記載の折畳み式携帯電話機。
【発明の詳細な説明】
【技術分野】
【０００１】
本発明は、耐衝撃性を考慮した折畳み式携帯電話機に関する。
【背景技術】
【０００２】
折畳みでない１筐体で構成される携帯電話機において、例えば特許文献１のように、コーナ保護部、側面保護部及び表示パネル保護部を有し、弾性材料で一体成形されたプロテクタを取り付け、落下などの衝撃を吸収できるようにしたものがある。
しかし、折畳み式携帯電話機では、その外周面での保護を考慮したものが存在しない。
【特許文献１】特開２０００−１７４８７４号公報
【発明の開示】
【発明が解決しようとする課題】
【０００３】
特に折畳み式携帯電話機の場合、開いた状態と閉じた状態があるが、その両方の状態での落下に対して考慮しなければならないが、そのための提案が従来はなされておらず、また、特許文献１では、折り畳みを想定していないため、その耐衝撃のための構造の考慮が充分になされていない。
【０００４】
本発明の課題は、折畳み式携帯電話機において、開いた状態でも折畳んだ状態であっても衝撃を吸収できるようにすることである。
【課題を解決するための手段】
【０００５】
以上の課題を解決するため、請求項１に記載の発明は、例えば図１から図５に示すように、操作部１１を有する筐体（プラスチック）１と表示部２１を有する筐体（プラスチック）２とが一端部側でヒンジ部３を介して開閉可能に結合された折畳み式携帯電話機において、表示部２１を有する筐体２のヒンジ部３と反対側の端部に突出して設けられる弾性材質（エラストマ）からなる耐衝撃用ハンドル５と、操作部１１を有する筐体１のヒンジ部３と反対側の端部に突出して設けられる弾性材質（エラストマ）からなるコネクタカバー６と、両筐体１・２の折畳み状態におけるヒンジ部３の両筐体１・２端部からの突出部分に設けられる弾性材質（エラストマ）からなるヒンジカバー７を備えることを特徴とする。
【０００６】
請求項１に記載の発明によれば、折畳み式携帯電話機の表示部を有する筐体のヒンジ部と反対側の端部に突出する弾性材質の耐衝撃用ハンドルと、操作部を有する筐体のヒンジ部と反対側の端部に突出する弾性材質のコネクタカバーを備えるので、両筐体を開いた状態で落下した場合、表示部を有する筐体の端部から突出する耐衝撃用ハンドルの弾性材質と、操作部を有する筐体の端部から突出するコネクタカバーの弾性材質により、どちらの端部側から落下しても筐体への直接的な衝撃を吸収して緩和できる。
また、両筐体を開いた状態でヒンジ部を下にして落下した場合でも、ヒンジ部の両筐体端部からの突出部分のヒンジカバーの弾性材質により、ヒンジ部への直接的な衝撃を吸収して緩和できる。
そして、両筐体の折畳み状態におけるヒンジ部の両筐体端部からの突出部分の弾性材質のヒンジカバーを備えるので、両筐体を折畳んだ状態で落下した場合、表示部を有する筐体の端部から突出する耐衝撃用ハンドルの弾性材質及びまたは操作部を有する筐体の端部から突出するコネクタカバーの弾性材質と、ヒンジ部の両筐体端部からの突出部分のヒンジカバーの弾性材質により、どちらの端部側から落下しても筐体またはヒンジ部への直接的な衝撃を吸収して緩和できる。
【０００７】
請求項２に記載の発明は、請求項１に記載の折畳み式携帯電話機であって、例えば図１から図５に示すように、前記耐衝撃用ハンドル５は、筐体２の両側部にも突出している（端部５２参照）ことを特徴とする。
【０００８】
請求項２に記載の発明によれば、耐衝撃用ハンドルが筐体の両側部にも突出しているので、両筐体を開いた状態及び折畳んだ状態のいずれの状態でも、筐体が横向きでヒンジ部と反対側を下にして落下した場合、耐衝撃用ハンドルの筐体側部に突出する部分により、横向きでヒンジ部と反対側端部における筐体への直接的な衝撃を吸収して緩和できる。
【０００９】
請求項３に記載の発明は、請求項１または２に記載の折畳み式携帯電話機であって、例えば図１及び図２に示すように、前記耐衝撃用ハンドル５は、折畳み状態の両筐体１・２の端部から突出していることを特徴とする。
【００１０】
請求項３に記載の発明によれば、耐衝撃用ハンドルが折畳み状態の両筐体の端部から突出しているので、両筐体を折畳んだ状態で落下した場合、両筐体の端部から突出する耐衝撃用ハンドルの弾性材質により、ヒンジ部と反対側から落下しても両筐体への直接的な衝撃を吸収して緩和できる。
【００１１】
請求項４に記載の発明は、請求項１から３のいずれか一項に記載の折畳み式携帯電話機であって、例えば図５に示すように、両筐体１・２の開き角度が１８０度未満に規制されており、前記耐衝撃用ハンドル５及び前記コネクタカバー６は、開き状態の筐体１・２の延長上に向けて各々突出している（ループ状部５１及びＲ形状部６１参照）ことを特徴とする。
【００１２】
請求項４に記載の発明によれば、両筐体の開き角度が１８０度未満に規制されていて、耐衝撃用ハンドル及びコネクタカバーが開き状態の筐体の延長上に向けて各々突出しているので、両筐体が開き角度１８０度未満に規制された最大限に開いた状態でその開いた面側から落下した場合であっても、筐体の延長上に向けて各々突出する耐衝撃用ハンドル及びまたはコネクタカバーが筐体よりも先に接地して、その弾性材質により筐体への直接的な衝撃を吸収して緩和できる。
【００１３】
請求項５に記載の発明は、請求項１から４のいずれか一項に記載の折畳み式携帯電話機であって、例えば図１から図３、図５に示すように、前記耐衝撃用ハンドル５は、筐体２に対し着脱可能に取り付けられている（ねじ５５参照）ことを特徴とする。
【００１４】
請求項５に記載の発明によれば、筐体に対し着脱可能に取り付けられる耐衝撃用ハンドルなので、複数種類の耐衝撃用ハンドルを任意に変更できる。
【００１５】
請求項６に記載の発明は、請求項１から５のいずれか一項に記載の折畳み式携帯電話機であって、例えば図１、図３、図５に示すように、前記コネクタカバー６は、筐体１の操作部１１を有する面からも突出している（突部６２参照）ことを特徴とする。
【００１６】
請求項６に記載の発明によれば、コネクタカバーが筐体の操作部を有する面からも突出しているので、両筐体が開いた状態でその開いた面側からの落下で、操作部を有する筐体側からそのコネクタ側を下にして落下した場合であっても、コネクタカバーの操作部を有する筐体面からの突出部分が筐体よりも先に接地して、その弾性材質により筐体への直接的な衝撃を吸収して緩和できる。
【００１７】
請求項７に記載の発明は、請求項１から６のいずれか一項に記載の折畳み式携帯電話機であって、例えば図１、図３から図５に示すように、表示部２１を有する筐体２の表示部２１を有する面と反対側の面にサブ表示部２３が設けられ、このサブ表示部２３の周囲に突出して設けられる弾性材質（エラストマ）からなる周囲枠９を備えることを特徴とする。
【００１８】
請求項７に記載の発明によれば、表示部を有する筐体の表示部を有する面と反対側の面に設けられたサブ表示部の周囲に突出する弾性材質の周囲枠を備えるので、両筐体を開いた状態及び折畳んだ状態のいずれの状態でも、サブ表示部を有する面側を下にして落下した場合には、サブ表示部の周囲枠の弾性材質により、筐体及びサブ表示部への直接的な衝撃を吸収して緩和できる。
【００１９】
請求項８に記載の発明は、請求項１から７のいずれか一項に記載の折畳み式携帯電話機であって、例えば図１から図５に示すように、少なくとも一方の筐体１のヒンジ部３側の端部に、ヒンジ部３に対し反対側の面に突出して設けられる弾性材質からなるカバー（アンテナカバー）８を備えることを特徴とする。
【００２０】
請求項８に記載の発明によれば、少なくとも一方の筐体のヒンジ部側の端部に、ヒンジ部に対し反対側の面に突出する弾性材質のカバーを備えるので、両筐体を開いた状態及び折畳んだ状態のいずれの状態でも、ヒンジ部側を下にして落下した場合には、ヒンジ部に対し反対側面に突出するカバーが筐体よりも先に接地して、その弾性材質により筐体への直接的な衝撃を吸収して緩和できる。
【発明の効果】
【００２１】
本発明によれば、両筐体を開いた状態で落下した場合、表示部を有する筐体の端部から突出する耐衝撃用ハンドルの弾性材質と、操作部を有する筐体の端部から突出するコネクタカバーの弾性材質により、どちらの端部側から落下しても筐体への直接的な衝撃を吸収して緩和できる。
また、両筐体を開いた状態でヒンジ部を下にして落下した場合でも、ヒンジ部の両筐体端部からの突出部分のヒンジカバーの弾性材質により、ヒンジ部への直接的な衝撃を吸収して緩和できる。
そして、両筐体を折畳んだ状態で落下した場合、表示部を有する筐体の端部から突出する耐衝撃用ハンドルの弾性材質及びまたは操作部を有する筐体の端部から突出するコネクタカバーの弾性材質と、ヒンジ部の両筐体端部からの突出部分のヒンジカバーの弾性材質により、どちらの端部側から落下しても筐体またはヒンジ部への直接的な衝撃を吸収して緩和できる。
【発明を実施するための最良の形態】
【００２２】
以下、図を参照して本発明を実施するための最良の形態を詳細に説明する。
図１から図５は本発明を適用した折畳み式携帯電話機の一構成例を示すもので、１は下筐体、１１は操作部、１２はマイク、１３はバッテリー、１４はバッテリーロックノブ、１５はスピーカー、１６はイヤホンカバー、２は上筐体、２１はメイン表示部、２２はレシーバー、２３はサブ表示部、２４はカメラレンズ部、２５はフラッシュライト部、３はヒンジ部、３１はヒンジユニット端部、４は下カバー、５は耐衝撃用ハンドル、６はコネクタカバー、７はヒンジカバー、８はアンテナカバー、９はサブ表示部周囲枠である。
【００２３】
図示例は、いずれもプラスチック製の下筐体１及び上筐体２とが一端部側でヒンジ部３を介して開閉可能に結合された折畳み式携帯電話機である。
下筐体１には、折畳み状態で上筐体２が重ね合わされる内側面に各種操作キーによる操作部１１及びマイク１２（図４参照）が設けられ、その反対側の外側面にバッテリー１３、バッテリーロックノブ１４、スピーカー１５（図２及び図４参照）が設けられている。また、下筐体１の一側面にイヤホンカバー１６が設けられている。
上筐体２には、折畳み状態でした筐体１が重ね合わされる内側面にメイン表示部２１及びレシーバー２２（図４参照）が設けられ、その反対側の外側面にいずれも円形のサブ表示部２３、カメラレンズ部２４及びフラッシュライト部２５（図１、図３から図５参照）が設けられている。
【００２４】
以上の折畳み式携帯電話機には、落下時等の耐衝撃用の緩衝部材としていずれも弾性材質のエラストマによる下カバー４、耐衝撃用ハンドル５、コネクタカバー６、ヒンジカバー７、アンテナカバー８及びサブ表示部周囲枠９が装着されている。
下カバー４はエラストマにより成形されて下筐体１の下面と両側面のほぼ下半分を覆うもので、図２及び図３に示すように、下筐体１の外側面にねじ止めして取り付けられている。この下カバー４は、バッテリー１３、バッテリーロックノブ１４及びスピーカー１５を囲む開口部を有している。
【００２５】
耐衝撃用ハンドル５は、エラストマによりアーチ状部５１及びその左右の両端部５２側からリブ状の内方延出部５３を一体成形してなるもので、図示のように、上筐体２のヒンジ部３と反対側端部にねじ止めして取り付けられている。
すなわち、耐衝撃用ハンドル５は、上筐体２のヒンジ部３とは反対側端部のＲ形状部とアーチ状部５１との間に空間Ｓを開け、そのアーチ状部５１の左右の内方延出部５３を上筐体２のＲ形状部に当てて、そのＲ形状部の両側面にアーチ状部５１の両端部５２をねじ５５でそれぞれ固定することにより取り付けられている。
【００２６】
このように、耐衝撃用ハンドル５を設けることで、この耐衝撃用ハンドル５に手指を掛けて折畳み式携帯電話機を持つことができる。
しかも、上筐体１に対しねじ止めにより耐衝撃用ハンドル５を着脱可能に取り付けることで、複数種類の耐衝撃用ハンドルを任意に選択して変更できるものとなっている。
【００２７】
コネクタカバー６はエラストマにより成形されたもので、下筐体１のヒンジ部３と反対側端部内に設けた図略の通信コネクタが組み込まれて露出するコネクタ用開口部に取り付けられている。
図示しないが具体的には、コネクタカバー６は、コネクタ用開口部を覆うとともに、左右いずれか一端部が下筐体１のコネクタ用開口部内にヒンジ結合により開閉自在に組み付けられて、他端部が下筐体１のコネクタ用開口部内に係止可能となっている。
このコネクタカバー６は、図４に示すように、下筐体１の端部と一様に連続して突出するＲ形状部６１となっていて、図１、図３及び図５に示すように、中央部が下筐体１の内側面から小さくＲ形状に突出する突部６２となっている。
【００２８】
ヒンジカバー７は、エラストマによりリング状部７１の一部に係止部７２を一体成形してなるもので、図示のように、ヒンジ部３の左右両側に設けられている。
すなわち、ヒンジ部３は、図１から図３、図５に示すように、下筐体１及び上筐体２の端部からの突出するように位置していて、その回動中心部が上筐体２側に位置しており、その左右のヒンジユニット端部３１の外側にリング状部７１を接続して係止部７２を下筐体１に係止してヒンジカバー７がそれぞれ取り付けられている。
【００２９】
アンテナカバー８はエラストマにより成形されたもので、下筐体１のヒンジ部３側の端部内に設けた図略のアンテナが組み込まれて露出するアンテナ用開口部に取り付けられている。
図示のように、アンテナカバー８は、下筐体１の端部を外側面及び両側面を含んでアンテナ用開口部を覆う形状となっていて、内側に突出する左右一対ずつの係止片８１・８２が下筐体１のアンテナ用開口部内に係止可能となっている。
このアンテナカバー８の外表面には、小さくリブ状に突出する左右の突部８３が形成されている。この突部８３は下筐体１の外側面にも小さくリブ状に突出している。
【００３０】
サブ表示部周囲枠９はエラストマにより成形されたもので、図示のように、リング状に形成されていて、サブ表示部２３を囲んで上筐体１の外側面に接着より固定されている。
【００３１】
以上の折畳み式携帯電話機は、ヒンジ部３を構成する図示しないヒンジユニットにより、下筐体１及び上筐体２の開き角度が１８０度未満に規制されたものとなっている。
次に、以上の緩衝部材、すなわち、エラストマによる下カバー４、耐衝撃用ハンドル５、コネクタカバー６、ヒンジカバー７、アンテナカバー８及びサブ表示部周囲枠９を装着した折畳み式携帯電話機の作用効果について説明する。
【００３２】
「両筐体１・２を折畳んだ状態で落下した場合」（図１及び図２参照）
まず、下筐体１を下にして落下した場合は、下筐体１の下面と両側面のほぼ下半分を覆う下カバー４の弾性機能により、下筐体１に対する直接的な衝撃を吸収して緩和できる。
また、上筐体２を下にして落下した場合には、上筐体１の外側面に設けたリング状のサブ表示部周囲枠９の弾性機能により、上筐体２及びサブ表示部２３に対する直接的な衝撃を吸収して緩和できる。
【００３３】
そして、ヒンジ部３と反対側を下にして落下した場合は、上筐体２の端部から突出した耐衝撃用ハンドル５のアーチ状部５１及びその左右両側のリブ状の内方延出部５３の弾性機能により、上筐体２に対する直接的な衝撃を吸収して緩和できる。
なお、この場合、下筐体１の端部から突出したコネクタカバー６のＲ形状部６１の弾性機能により、下筐体１に対する直接的な衝撃も吸収して緩和できる。
【００３４】
また、ヒンジ部３を下にして落下した場合には、両筐体１・２端部から突出するヒンジユニット端部３１に設けたヒンジカバー７のリング状部７１の弾性機能により、ヒンジユニット端部３１及び両筐体１・２に対する直接的な衝撃を吸収して緩和できる。
しかも、この場合、ヒンジ部３に対し下筐体１の反対側面に突出するアンテナカバー８及びその左右のリブ状の突部８３の弾性機能により、下筐体１に対する直接的な衝撃も吸収して緩和できる。
【００３５】
さらに、横向きで耐衝撃用ハンドル１側を下に傾いて落下した場合は、そのアーチ状部５１及び左右両側部５２の弾性機能により、上筐体１に対する直接的な衝撃を吸収して緩和できる。
また、横向きでヒンジ部３側を下に傾いて落下した場合には、ヒンジカバー７のリング状部７１によりヒンジユニット端部３１及び両筐体１・２に対する直接的な衝撃を吸収して緩和できる。
【００３６】
「両筐体１・２を開いた状態で落下した場合」（図４及び図５参照）
まず、開き角度１８０度未満に規制された最大限に開いた状態で下筐体１を下側にして落下した場合は、折畳んだ状態と同様、下カバー４により下筐体１に対する直接的な衝撃を吸収して緩和できる。
また、上筐体２を下側にして落下した場合には、折畳んだ状態と同様、リング状のサブ表示部周囲枠９により上筐体２及びサブ表示部２３に対する直接的な衝撃を吸収して緩和できる。
【００３７】
そして、コネクタカバー６を下にして落下した場合は、そのコネクタカバー６のＲ形状部６１により下筐体１に対する直接的な衝撃を吸収して緩和できる。
また、耐衝撃用ハンドル５を下にして落下した場合には、そのアーチ状部５１及び左右のリブ状の内方延出部５３により、上筐体２に対する直接的な衝撃を吸収して緩和できる。
【００３８】
さらに、開き角度１８０度未満に規制された最大限に開いた状態でアンテナカバー８側を下にして落下した場合には、そのアンテナカバー８及び左右のリブ状の突部８３により下筐体１に対する直接的な衝撃を吸収して緩和できる。
また、ヒンジ部３（アンテナカバー８）側を下にして左右いずれかに比較的大きく傾いて落下した場合は、ヒンジカバー７のリング状部７１によりヒンジ部３及び両筐体１・２に対する直接的な衝撃を吸収して緩和できる。
【００３９】
そして、開き角度１８０度未満に規制された最大限に開いた状態でその開いた面側から落下した場合は、耐衝撃用ハンドル５のアーチ状部５１及び左右のリブ状の内方延出部５３により、上筐体２とメイン表示部２１及びレシーバー２２に対する直接的な衝撃を吸収して緩和できるとともに、コネクタカバー６のＲ形状部６１及び突部６２の弾性機能により、下筐体１と操作部１１及びマイク１２に対する直接的な衝撃を吸収して緩和できる。
特に、コネクタカバー６については、下筐体１の内側面より突出した突部６２によって衝撃を有利に吸収緩和できる。
【００４０】
また、横向きで耐衝撃用ハンドル５側を下にして落下した場合は、そのアーチ状部５１及び左右のリブ状の内方延出部５３により、上筐体２に対する直接的な衝撃を吸収して緩和できる。
【００４１】
なお、以上の実施形態では、落下時の耐衝撃緩衝について説明したが、落下時に限らず他の外力作用時の耐衝撃緩衝が得られることは勿論である。
また、実施形態では、下筐体のヒンジ部側の端部にエラストマによるアンテナカバーを設けたが、これに加えまたはこれに代えて、上筐体のヒンジ部側端部にもエラストマによるカバーを設けるようにしても良い。
さらに、携帯電話機と緩衝部材、すなわち、筐体、ヒンジ部、下カバー、耐衝撃用ハンドル、コネクタカバー、ヒンジカバー、アンテナカバー等及びサブ表示部周囲枠の形状は実施形態に限らず任意であり、その他、具体的な取付構造を含む細部構造等についても適宜に変更可能である。
【図面の簡単な説明】
【００４２】
【図１】本発明を適用した折畳み式携帯電話機の一実施形態の構成例を示すもので、折畳み状態を示した平面図（ａ）、その側面図（ｂ）及び端面図（ｃ）（ｄ）である。
【図２】図１の折畳み式携帯電話機の折畳み状態を示した底面図（ａ）及びその側面図（ｂ）である。
【図３】図１の折畳み式携帯電話機の折畳み状態を示すもので、両筐体から緩衝部材を分解して示した斜視図である。
【図４】図１の折畳み式携帯電話機を開いた状態を示すもので、操作部及び表示部を示した平面図（ａ）及びその底面図（ｂ）である。
【図５】図４の開いた状態の折畳み式携帯電話機の側面図（ａ）及びその上方から見た図（ｂ）である。
【符号の説明】
【００４３】
１  筐体
１１  操作部
１２  マイク
２  筐体
２１  メイン表示部
２２  レシーバー
２３  サブ表示部
２４  カメラレンズ部
２５  フラッシュライト部
３  ヒンジ部
３１  ヒンジユニット端部
４  下カバー
５  耐衝撃用ハンドル
５１  アーチ状部
５２  端部
５３  内方延出部
６  コネクタカバー
６１  Ｒ形状部
６２  突部
７  ヒンジカバー
７１  リング状部
７２  係止部
８  アンテナカバー
８１・８２  係止片
８３  突部
９  サブ表示部周囲枠
【図１】
2006186574.tif 000003
【図２】
2006186574.tif 000004
【図３】
2006186574.tif 000005
【図４】
2006186574.tif 000006
【図５】
2006186574.tif 000007